(57)【要約】【課題】  便槽内に流入した水の蒸発促進への対策を講じることで、既設のトイレを大幅に改造することなく、安価な構造で、汲み取り頻度の低減を達成できる汲み取り式トイレの排気構造の提供。【解決手段】  太陽光発電装置３と、これによる電力を動力源とした駆動モータ１０と、この駆動モータにより回転するファン１を有し、前記ファンを便槽５に連なる排気筒２に設けて、前記ファンの回転により便槽から排気筒を介して外気に至る空気流を生じさせるようにした。【選択図】  図１
2005143960.tif 000002
【特許請求の範囲】
【請求項１】
太陽光発電装置と、これによる電力を動力源とした駆動モータと、この駆動モータにより回転するファンを有し、前記ファンを便槽に連なる排気筒に設けて、前記ファンの回転により便槽から排気筒を介して外気に至る空気流を生じさせることを特徴とする汲み取り式トイレの排気構造。
【請求項２】
外気の自然風を動力源とする回転駆動装置と、前記回転駆動装置により回転するファンを有し、前記ファンを便槽に連なる排気筒に設けて、前記ファンの回転により便槽から排気筒を介して外気に至る空気流を生じさせることを特徴とする汲み取り式トイレの排気構造。
【請求項３】
便槽が外気を取り込むための給気口に連通されている請求項１又は２記載の汲み取り式トイレの排気構造。
【請求項４】
便槽の内部に、透水性素材からなる吸水材を垂直方向に設け、その吸水材の下側部分が便槽内の排泄物中に浸漬すると共に、吸水材の上側部分が空気流の中に配設されるように形成している請求項１又は２又は３記載の汲み取り式トイレの排気構造。
【発明の詳細な説明】
【技術分野】
【０００１】
本発明は、汲み取り式トイレの排気構造に関するもので、排気によって、便槽の汲み取り頻度の低減を図るようにした技術に関するものである。
【背景技術】
【０００２】
近年、衛生面や清潔感から、住宅の汲み取り式トイレにおいても、簡易水洗にしたり、お湯によるお尻の洗浄など、便槽に水を流入させることが多くなっている。
簡易水洗においても、実際の排泄物容積より洗浄に用いる水の容積の方が概略２倍多く、このため、汲み取り頻度が多くなって便槽が満杯になり、オーバーフローのおそれが高くなっているし、特に盆や正月の家族人員が通常より増す状況での心配があり、また、汲み取り費用も増大している。
【０００３】
従来、汲み取り式トイレの排気構造においては、便槽に連なる排気筒に排気トップを設けたものが知られている（非特許文献１参照）。
この従来技術は、排気トップの回転により、便槽内の空気を外気に導き、便槽内の臭気が便所室に逆流するのを防止させるようにしたもので、排気によって、便槽内の水の蒸発を促進させるものではなく、現状では、汲み取り頻度の低減を目的として、排気による水の蒸発を促す構造はない。
【非特許文献１】株式会社イナックス製カタログ：トイレーナＦ（簡易水洗便器）：２００３−２００４版
【発明の開示】
【発明が解決しようとする課題】
【０００４】
以上説明したように、既存の有効な対処策は無いに等しく、今後、ますます普及するであろう温水便座や簡易水洗トイレでの、汲み取り頻度低減は大変重要な課題であるにも拘わらず、対応する技術は提供されていなかった。
【０００５】
本発明は、上記の点に鑑みてなされたもので、便槽内に流入した水の蒸発促進への対策を講じることで、既設のトイレを大幅に改造することなく、安価な構造で、汲み取り頻度の低減を達成できる汲み取り式トイレの排気構造を提供することを課題としている。
【０００６】
本発明者らの調査・研究の結果では、平均的な大人１人の１日の排泄量は大便と小便合わせて１．３リットル（Ｌ）であり、洗浄水の使用量は簡易水洗であっても２．５Ｌである。つまり、便槽の堆積量の内、洗浄水が６０％を占めているので、洗浄水を蒸発させることができれば、容易に、汲み取り頻度を減じることができることが判明した。
すなわち、水分蒸発を促進することで解決が図れることが分かった。
【課題を解決するための手段】
【０００７】
上記の課題を解決するために、本発明の汲み取り式トイレの排気構造（請求項１）は、
太陽光発電装置と、これによる電力を動力源とした駆動モータと、この駆動モータにより回転するファンを有し、前記ファンを便槽に連なる排気筒に設けて、前記ファンの回転により便槽から排気筒を介して外気に至る空気流を生じさせる構成とした。
【０００８】
又、本発明の汲み取り式トイレの排気構造（請求項２）は、
外気の自然風を動力源とする回転駆動装置と、前記回転駆動装置により回転するファンを有し、前記ファンを便槽に連なる排気筒に設けて、前記ファンの回転により便槽から排気筒を介して外気に至る空気流を生じさせる構成とした。
【０００９】
又、本発明の汲み取り式トイレの排気構造（請求項３）は、
便槽が外気を取り込むための給気口に連通されている態様としている。
【００１０】
又、本発明の汲み取り式トイレの排気構造（請求項４）は、
便槽の内部に、透水性素材からなる吸水材を垂直方向に設け、その吸水材の下側部分が便槽内の排泄物中に浸漬すると共に、吸水材の上側部分が空気流の中に配設されるように形成している態様とした。
【発明の効果】
【００１１】
下水道の普及は自治体の財政難で今後は難しく、簡易水洗トイレなどの汲み取り式トイレが今後暫く続く傾向にある。人々は衛生的で快適なトイレを望むし、トイレでの高血圧による事故防止、痔などの疾病患者への対策として非常に効果がある、などの理由で、汲み取り式便槽においての実質汲み取り量の削減は、実用上トイレを水洗化して使用するにおいて価値の高い課題である。
【００１２】
本発明は、汲み取り式トイレの便槽への容易な取り付けが可能で、自然エネルギーを活用して、迅速で効果の高い実質汲み取り量の削減が達成できるものである。
また、既設の汲み取り式トイレの便槽への適用が、安価に、かつ、容易に実施可能である等の効果がある。
【発明を実施するための最良の形態】
【００１３】
実用的に便槽に適用できる水分蒸発促進技術として、風を便槽に通すこと、および透湿性素材を面状として便槽内の排泄物に浸漬し、これの毛細管現象により水分蒸発面積を増大させることが有効である。
【００１４】
風を便槽に通す機構としては、便槽の排気筒を活用する構成とすることが好ましい。
また、通気強化のためのファン駆動は、通常電力を用いるより自然エネルギーの活用が好ましく、太陽光発電や風力によるファン駆動が望ましい。
特に風力を用いたファン駆動とすれば、家の北側に配置されることの多いトイレにおいて、太陽光駆動よりも年間を通じてのファン駆動時間が多くなり、大変好ましいし、安価にシステムを組むことが可能である。
【００１５】
さらに、最も好ましくは、便槽内を効率よく外気が通過するように、風の通路を形成することであり、このために、便槽の便槽蓋の近辺に給気口を設け、ここから外気を吸い込んで便槽内を外気が通過して排気筒に抜けるようにするのがよい。
【実施例】
【００１６】
以下、本発明の実施例を図面により説明する。。
図１は本発明の汲み取り式トイレの排気構造の第１実施例を示す断面図で、太陽光発電装置による電力で駆動する軸流ファンを排気筒に設けた場合の例である。
【００１７】
この実施例では、軸流ファン１を排気筒２の上端排気口２０に設け、この軸流ファン１の駆動源として太陽光発電装置３を用い、コントローラー４を通じて前記軸流ファン１を駆動する構成としている。
【００１８】
図において、５は便槽で、建物６の屋外で地中に埋設され、便所室６０に設けた便器６１に排泄物流入路６３を介して連通されている。
そして、前記排泄物流入路６３の途中から分岐して排気筒２が設けられ、この排気筒２の上端排気口２０に形成した排気ケーシング２１の内部に、駆動モータ１０と、この駆動モータ１０によって回転する軸流ファン１が設けられている。
前記駆動モータ１０は、建物６の屋根６４上に設置した太陽光発電装置３に接続され、この太陽光発電装置３による電力を動力源として駆動する。
【００１９】
従って、太陽光発電装置３からの電力によって駆動モータ１０が回転し、軸流ファン１が排気筒２の上端排気口２０で回転する。これにより、便槽５から排気筒２を介して外気に至る空気流が生じ、便槽５内の水分の蒸発を促進させることができるし、便槽５内の臭気が便器６１に逆流するのを防止できる。
【００２０】
次に、図２は本発明の汲み取り式トイレの排気構造の第２実施例を示す断面図で、自然の風力により駆動する軸流ファン１を排気筒２に設けると共に、便槽５に設けた便槽蓋５０に給気口７０を設けた場合の例である。
【００２１】
この実施例では、排気筒２の上端排気口２０に形成した排気ケーシング２１の内部に、外気の自然風を動力源とする回転駆動装置１１と、前記回転駆動装置１１により回転する軸流ファン１が設けられている。
この場合、風力による回転駆動装置１１の羽根を「パドル」状のものとしたが、翼型断面を円筒状に配置したダリウス風車や、その他の既知の風車でもよい。要は風向きに関係なく風力を得る構造とすることが重要で、垂直軸風車とすると風向きに関係なく駆動力が得られ、また、ファンとの連結が容易である。
【００２２】
又、前記給気口７０は、便槽５の内部に連通するように便槽蓋５０に取り付けた給気管７１の先端に形成され、前記回転駆動装置１１による軸流ファン１の回転によって、この給気口７０から外気を吸い込んで便槽５内を外気が通過し、排気筒２から外気に抜けるようにしている。
これにより、外気の便槽５内への流入から排出までが効率的に行え、蒸発効率を向上させることができる。
【００２３】
なお、前記給気口７０は地上近くに配置されるので、軸流ファン１が回らない時の臭気漏れ防止の逆止弁７２と、虫やゴミの吸い込み防止フィルター７３が設けられている。
【００２４】
図３は本発明の汲み取り式トイレの排気構造の第３実施例を示す断面図で、透水性素材による吸水材８を円筒状に形成して、この吸水材８が便槽５内の排泄物中に垂直方向に浸漬するように設けた場合の例である。
【００２５】
前記透水性素材の吸水材８は、その下側部分が便槽５内の排泄物中に浸漬し、吸水材８の上側部分が空気流の中に配設されるように形成している。
従って、吸水材８の下側部分からの毛細管現象により吸水した水分が、吸水材８の上側部分から蒸発するもので、この吸水材８の上側部分が空気流に触れることによって、水分蒸発が促進される。
即ち、吸水材８を設けることによって、蒸発面積が増大し、更なる水分蒸発を促進させることができる。
【００２６】
透水性素材としては、市販の親水性不織布や繊維素材が利用可能であり、例えば、ステンレスのパンチング板を円筒状に成形したものに、これらの透湿性素材布を巻き付ける構成とすると、汲み取り時に損傷を心配することのない、強固な吸い上げ膜体を成形できるし、素焼き管などの、それ自体が透湿性と強度を持った素材で、管状体や面状体を成形して、吸い上げ膜として使用することも有効である。
【００２７】
以上のように、本発明は、一般家屋の既設の汲み取りトイレに容易に適用可能で、お尻洗浄やフラッシュに水を使うことが必須なトイレ快適化において、便槽への実質堆積量を減じることができ、汲み取り頻度の低減を図ることができるものである。
【図面の簡単な説明】
【００２８】
【図１】本発明の汲み取り式トイレの排気構造の第１実施例を示す断面図である。
【図２】本発明の汲み取り式トイレの排気構造の第２実施例を示す断面図である。
【図３】本発明の汲み取り式トイレの排気構造の第３実施例を示す断面図である。
【符号の説明】
【００２９】
１  軸流ファン
１０  駆動モータ
１１  回転駆動装置
２  排気筒
２０  上端排気口
２１  排気ケーシング
３  太陽光発電装置
４  コントローラー
５  便槽
５０  便槽蓋
６  建物
６０  便所室
６１  便器
６３  排泄物流入路
６４  屋根
７０  給気口
７１  給気管
７２  逆止弁
７３  吸い込み防止フィルター
８  吸水材
【図１】
2005143960.tif 000003
【図２】
2005143960.tif 000004
【図３】
2005143960.tif 000005